(57)【要約】本発明の通信装置は、端末と、第１のセルを形成する第１の基地局と、前記第１のセルに隣接する第２のセルを形成する第２の基地局と、を有する無線通信システムにおける通信装置に適用される。この通信装置は、前記第２の基地局における通信状況を取得する通信状況取得部と、前記第２の基地局が、前記端末から、ＲＲＣコネクションの再確立を要求する第１のメッセージを受信した受信回数に基づいて、前記第２のセルのセル識別子と他セルのセル識別子とのセル識別子の重複を解消する制御部と、を有する。
2016047439.tif 000002
【特許請求の範囲】
【請求項１】
端末と、第１のセルを形成する第１の基地局と、前記第１のセルに隣接する第２のセルを形成する第２の基地局と、を有する無線通信システムにおける通信装置であって、
前記第２の基地局における通信状況を取得する通信状況取得部と、
前記第２の基地局が、前記端末から、ＲＲＣコネクションの再確立を要求する第１のメッセージを受信した受信回数に基づいて、前記第２のセルのセル識別子と他セルのセル識別子とのセル識別子の重複を解消する制御部と、を有する通信装置。
【請求項２】
前記制御部は、
前記第２の基地局が、前記端末から、前記端末がハンドオーバ失敗前に接続していたセルが前記第１のセルであることを示す前記第１のメッセージを受信した受信回数が所定値以上である場合、前記第２のセルのセル識別子と他セルのセル識別子とのセル識別子の重複を解消する、請求項１に記載の通信装置。
【請求項３】
前記制御部は、
前記第２の基地局が、前記端末から、前記ＲＲＣコネクションの再確立の原因がハンドオーバの失敗または前記ＲＲＣコネクションの再構成の失敗であることを示す前記第１のメッセージを受信した受信回数が所定値以上である場合、前記第２のセルのセル識別子と他セルのセル識別子とのセル識別子の重複を解消する、請求項１に記載の通信装置。
【請求項４】
前記制御部は、
前記第２の基地局が、前記端末から、前記端末がハンドオーバ失敗前に接続していたセルが前記第１のセルであることを示し、かつ、前記ＲＲＣコネクションの再確立の原因がハンドオーバの失敗または前記ＲＲＣコネクションの再構成の失敗であることを示す前記第１のメッセージを受信した受信回数が所定値以上である場合、前記第２のセルのセル識別子と、前記第１のセルに隣接する他セルのセル識別子と、のセル識別子の重複を解消する、請求項１に記載の通信装置。
【請求項５】
前記制御部は、
前記第２の基地局が、前記端末から前記第１のメッセージを受信した時に、該受信前の所定時間内に、前記端末の前記第２のセルから前記第１のセルへのハンドオーバを要求する第２のメッセージを、前記第１の基地局に送信した実績がある場合、前記第１のメッセージの受信によっても前記受信回数をカウントしない、請求項１から４のいずれか１項に記載の通信装置。
【請求項６】
前記制御部は、
前記第２の基地局が、前記端末から前記第１のメッセージを受信した時に、該受信前の所定時間内に、前記端末の前記第１のセルから前記第２のセルへのハンドオーバを要求する第３のメッセージを、前記第１の基地局から受信した実績がある場合、前記第１のメッセージの受信によっても前記受信回数をカウントしない、請求項１から５のいずれか１項に記載の通信装置。
【請求項７】
端末と、第１のセルを形成する第１の基地局と、前記第１のセルに隣接する第２のセルを形成する第２の基地局と、を有する無線通信システムにおける通信装置であって、
前記第２の基地局における通信状況を取得する通信状況取得部と、
前記端末の前記第１のセルから前記第２のセルへのハンドオーバが失敗した回数に基づいて、前記第２のセルのセル識別子と、前記第１のセルに隣接する他セルのセル識別子と、のセル識別子の重複を解消する制御部と、を有する通信装置。
【請求項８】
前記制御部は、
前記第２の基地局が、前記第１の基地局から、前記端末の前記第１のセルから前記第２のセルへのハンドオーバを要求する第１のメッセージを受信した後、所定時間内に、前記端末からＲＲＣコネクションの再構成の完了を通知する第２のメッセージを受信しなかった場合、前記端末の前記第１のセルから前記第２のセルへのハンドオーバが失敗したと判定する、請求項７に記載の通信装置。
【請求項９】
前記制御部は、
前記第２のセルのセル識別子と他セルのセル識別子とのセル識別子の重複を解消する場合、前記第２のセルのセル識別子を再選択する、請求項１から８のいずれか１項に記載の通信装置。
【請求項１０】
前記制御部は、
前記第２のセルのセル識別子と他セルのセル識別子とのセル識別子の重複を解消する場合、前記第２のセルの新たなセル識別子の割り当てを外部サーバに要求する、請求項１から８のいずれか１項に記載の通信装置。
【請求項１１】
端末と、第１のセルを形成する第１の基地局と、前記第１のセルに隣接する第２のセルを形成する第２の基地局と、を有する無線通信システムであって、
前記第２の基地局における通信状況を取得する通信状況取得部と、
前記第２の基地局が、前記端末から、ＲＲＣコネクションの再確立を要求する第１のメッセージを受信した受信回数に基づいて、前記第２のセルのセル識別子と他セルのセル識別子とのセル識別子の重複を解消する制御部と、を有する無線通信システム。
【請求項１２】
端末と、第１のセルを形成する第１の基地局と、前記第１のセルに隣接する第２のセルを形成する第２の基地局と、を有する無線通信システムであって、
前記第２の基地局における通信状況を取得する通信状況取得部と、
前記端末の前記第１のセルから前記第２のセルへのハンドオーバが失敗した回数に基づいて、前記第２のセルのセル識別子と、前記第１のセルに隣接する他セルのセル識別子と、のセル識別子の重複を解消する制御部と、を有する無線通信システム。
【請求項１３】
端末と、第１のセルを形成する第１の基地局と、前記第１のセルに隣接する第２のセルを形成する第２の基地局と、を有する無線通信システムにおける通信装置が行う通信方法であって、
前記第２の基地局における通信状況を取得し、
前記第２の基地局が、前記端末から、ＲＲＣコネクションの再確立を要求する第１のメッセージを受信した受信回数に基づいて、前記第２のセルのセル識別子と他セルのセル識別子とのセル識別子の重複を解消する、通信方法。
【請求項１４】
端末と、第１のセルを形成する第１の基地局と、前記第１のセルに隣接する第２のセルを形成する第２の基地局と、を有する無線通信システムにおける通信装置が行う通信方法であって、
前記第２の基地局における通信状況を取得し、
前記端末の前記第１のセルから前記第２のセルへのハンドオーバが失敗した回数に基づいて、前記第２のセルのセル識別子と、前記第１のセルに隣接する他セルのセル識別子と、のセル識別子の重複を解消する、通信方法。
【発明の詳細な説明】
【技術分野】
【０００１】
本発明は、通信装置、無線通信システムおよび通信方法に関する。
【背景技術】
【０００２】
LTE（Long Term Evolution）では、セル半径の大きなマクロセル（Macro Cell）に加えて、セル半径の小さなスモールセル（Small Cell）が定義されている。スモールセルは、広域をカバーするマクロセルと比較して小さなエリアをカバーする特徴を生かして、小さなエリアでの通信速度を向上させるべく繁華街や商業ビルなどの高負荷地域に複数形成される。また、マクロセル内の電波が届きにくい屋内エリアをカバーするために、屋内にも形成される。このようなスモールセルの用途の関係上、マクロセルと複数のスモールセルとは互いに隣接関係にあることが多いが、スモールセル同士は隣接関係にないことがある。【０００３】
図１に、LTEの無線通信システムにおけるセル配置の一例を示す。【０００４】
図１では、マクロセルであるCell Xと、スモールセルであるCell Y,Zと、が互いに隣接関係にある。ただし、Cell YとCell Zとは、互いに隣接関係にはない。【０００５】
ところで、LTEでは、セルを識別するセル識別子としてPCI（Physical Cell Identity）が使用されている。本明細書では、セル識別子と言う時は、PCIを指すものとする。PCIは、UE（User Equipment）が無線区間上にてセルを識別するために局所的に使用されるセル識別子であり、LTEでは、504通りのPCI値が繰り返し使用されている。【０００６】
そのため、図１に示すように、Cell Xに隣接するCell Y,Z同士で、PCI値（= 84）が重複する場合がある。このようなPCI値の重複は、PCI Confusionと称される。【０００７】
ここで、Cell XとCell Y,Zとは互いに隣接関係にある。そのため、Cell Y,Zをそれぞれ形成するスモールセル基地局（以下、スモールセル基地局y,zと称す）は、Cell Xを形成するマクロセル基地局（以下、マクロセル基地局xと称す）から、Cell Xに隣接するネイバーセルを示すネイバー情報を、接続回線等(例えばX2 Interface)を経由して取得できる場合がある。スモールセル基地局y,zが、マクロセル基地局xからネイバー情報を取得できれば、そのネイバー情報を基に、Cell Y,ZのPCI値が互いに重複するPCI Confusionを起こしていると判定することができる。その場合、スモールセル基地局y,zのいずれかが、PCI値を自律的に再選択すれば、PCI Confusionは解消される。【０００８】
しかし、スモールセル基地局y,zが、マクロセル基地局xからのネイバー情報を、接続回線等を経由して直接取得できない場合がある。また、スモールセル基地局y,zが、マクロセル基地局xからネイバー情報を取得できたとしても、そのネイバー情報が不十分のために、Cell Xに隣接するネイバーセルの一部を認識できない場合がある。また、Cell YとCell Zとは互いに隣接関係にはないため、スモールセル基地局y,z同士は、相手のスモールセル基地局からネイバー情報を取得することができない。【０００９】
したがって、上記のいずれの場合も、スモールセル基地局y,zは、自セルのPCI値が他セルのPCI値と重複するPCI Confusionを起こしていると判定することができず、PCI値を自律的に再選択する機会を失い、PCI Confusionは解消されない。【００１０】
ここで、Cell Y,ZのPCI値が互いに重複するPCI Confusionを起こしている状態で、UEが、Cell XからCell Yへ移動した場合を考える。【００１１】
この場合、UEは、Cell Xを形成するマクロセル基地局xに対し、ハンドオーバ先候補のCell YのPCI値 84を含むMeasurement Reportメッセージを送信する。【００１２】
しかし、PCI Confusion状態では、PCI値に対応するECGI（E-UTRAN Cell Global Identifier。E-UTRAN : Evolved Universal Terrestrial Radio Access Network）値が一意に定まらない。ここで、ECGIとは、PCIと異なり、通信ネットワーク全体においてセルを一意に識別するセル識別子である。【００１３】
そのため、マクロセル基地局xは、ハンドオーバ先候補のCell Yではなく、Cell Yと同じPCI値を持つ誤ったCell Zへのハンドオーバを要求する場合がある。この場合、ハンドオーバに失敗し、ハンドオーバ成功率が低下してしまうという問題がある。【００１４】
この問題を解決する技術としては、特許文献１に記載の方法が挙げられる。特許文献１に記載の方法では、マクロセル内に同一のPCI値を使用するスモールセルが複数存在するケースを想定し、UEが測定報告（Measurement Report）にハンドオーバ先候補のセルのPCI値とCGI値とを付加している。
【先行技術文献】
【特許文献】
【００１５】
【特許文献１】特開２０１０−１０９６６４号公報
【発明の概要】
【発明が解決しようとする課題】
【００１６】
特許文献１に記載の方法によれば、ハンドオーバ先候補のセルのCGI値が一意に定まるため、マクロセル基地局が、誤ったセルへハンドオーバを要求する確率を低減でき、ハンドオーバ成功率の低下を抑制できる。【００１７】
しかし、特許文献１に記載の方法では、UEが、ハンドオーバ先候補のセルのCGI値を知るために、そのセルの報知情報を受信する必要がある。そのため、CGI値を取得するための時間が長くなり、測定報告の送信に遅延が生じるという問題がある。【００１８】
したがって、特許文献１に記載の方法とは異なる方法で、ハンドオーバ成功率の低下を抑制する必要がある。【００１９】
そのためには、スモールセル基地局におけるマクロセル基地局からのネイバー情報の取得状況にかかわらず、スモールセルのPCI値が他セルのPCI値と重複するPCI Confusionを解消することが課題となる。【００２０】
そこで本明細書に開示される実施形態が達成しようとする目的の１つは、上述した課題を解決し、基地局におけるネイバー情報の取得状況にかかわらず、その基地局のセルのセル識別子と他セルのセル識別子とのセル識別子の重複を解消することができる技術を提供することにある。なお、この目的は、本明細書に開示される実施形態が達成しようとする複数の目的の１つに過ぎないことに留意されるべきである。その他の目的又は課題と新規な特徴は、明細書の記述又は添付図面から明らかにされる。
【課題を解決するための手段】
【００２１】
本発明の第１の通信装置は、
端末と、第１のセルを形成する第１の基地局と、前記第１のセルに隣接する第２のセルを形成する第２の基地局と、を有する無線通信システムにおける通信装置であって、
前記第２の基地局における通信状況を取得する通信状況取得部と、
前記第２の基地局が、前記端末から、ＲＲＣコネクションの再確立を要求する第１のメッセージを受信した受信回数に基づいて、前記第２のセルのセル識別子と他セルのセル識別子とのセル識別子の重複を解消する制御部と、を有する。【００２２】
本発明の第２の通信装置は、
端末と、第１のセルを形成する第１の基地局と、前記第１のセルに隣接する第２のセルを形成する第２の基地局と、を有する無線通信システムにおける通信装置であって、
前記第２の基地局における通信状況を取得する通信状況取得部と、
前記端末の前記第１のセルから前記第２のセルへのハンドオーバが失敗した回数に基づいて、前記第２のセルのセル識別子と、前記第１のセルに隣接する他セルのセル識別子と、のセル識別子の重複を解消する制御部と、を有する。【００２３】
本発明の第１の無線通信システムは、
端末と、第１のセルを形成する第１の基地局と、前記第１のセルに隣接する第２のセルを形成する第２の基地局と、を有する無線通信システムであって、
前記第２の基地局における通信状況を取得する通信状況取得部と、
前記第２の基地局が、前記端末から、ＲＲＣコネクションの再確立を要求する第１のメッセージを受信した受信回数に基づいて、前記第２のセルのセル識別子と他セルのセル識別子とのセル識別子の重複を解消する制御部と、を有する。【００２４】
本発明の第２の無線通信システムは、
端末と、第１のセルを形成する第１の基地局と、前記第１のセルに隣接する第２のセルを形成する第２の基地局と、を有する無線通信システムであって、
前記第２の基地局における通信状況を取得する通信状況取得部と、
前記端末の前記第１のセルから前記第２のセルへのハンドオーバが失敗した回数に基づいて、前記第２のセルのセル識別子と、前記第１のセルに隣接する他セルのセル識別子と、のセル識別子の重複を解消する制御部と、を有する。【００２５】
本発明の第１の通信方法は、
端末と、第１のセルを形成する第１の基地局と、前記第１のセルに隣接する第２のセルを形成する第２の基地局と、を有する無線通信システムにおける通信装置が行う通信方法であって、
前記第２の基地局における通信状況を取得し、
前記第２の基地局が、前記端末から、ＲＲＣコネクションの再確立を要求する第１のメッセージを受信した受信回数に基づいて、前記第２のセルのセル識別子と他セルのセル識別子とのセル識別子の重複を解消する。【００２６】
本発明の第２の通信方法は、
端末と、第１のセルを形成する第１の基地局と、前記第１のセルに隣接する第２のセルを形成する第２の基地局と、を有する無線通信システムにおける通信装置が行う通信方法であって、
前記第２の基地局における通信状況を取得し、
前記端末の前記第１のセルから前記第２のセルへのハンドオーバが失敗した回数に基づいて、前記第２のセルのセル識別子と、前記第１のセルに隣接する他セルのセル識別子と、のセル識別子の重複を解消する。
【発明の効果】
【００２７】
本発明によれば、通信装置が、基地局におけるネイバー情報の取得状況にかかわらず、その基地局のセルのセル識別子と他セルのセル識別子とのセル識別子の重複を解消することができるという効果が得られる。
【図面の簡単な説明】
【００２８】
【図１】LTEの無線通信システムにおけるセル配置の一例を示す図である。
【図２】本発明の無線通信システムの全体構成の一例を示す図である。
【図３】図２に示した無線通信システムにおいて、ハンドオーバが成功した場合のシーケンスの一例を示すシーケンス図である。
【図４】図２に示した無線通信システムにおいて、ハンドオーバが失敗した場合のシーケンスの一例を示すシーケンス図である。
【図５】RRC Connection Re-establishment Requestメッセージの一例を示す図である。
【図６】本発明の第１の実施形態のスモールセル基地局の構成の一例を示すブロック図である。
【図７】本発明の第２および第３の実施形態のスモールセル基地局の構成の一例を示すブロック図である。
【図８】本発明の第３の実施形態の無線通信システムにおいて、ハンドオーバがToo Early HOに起因していた場合のシーケンスの一例を示すシーケンス図である。
【図９】本発明の第３の実施形態の無線通信システムにおいて、ハンドオーバがToo Late HOに起因していた場合のシーケンスの一例を示すシーケンス図である。
【図１０】本発明の通信装置の概略構成の一例を示すブロック図である。
【発明を実施するための形態】
【００２９】
（１）本発明の基本概念
まず、本発明の無線通信システムの全体構成について説明する。
【００３０】
図２に、本発明の無線通信システムの全体構成の一例を示す。
【００３１】
図２に示した無線通信システムは、UE１０と、マクロセル基地局２０Ａと、スモールセル基地局２０Ｂ，２０Ｃと、MME（Mobility Management Entity）３０と、を有するLTEの無線通信システムである。
【００３２】
マクロセル基地局２０Ａは、マクロセル（第１のセル）であるCell A（PCI値 142）を形成する第１の基地局である。
【００３３】
スモールセル基地局２０Ｂは、スモールセル（第２のセル）であるCell B（PCI値 84）を形成する第２の基地局である。
【００３４】
スモールセル基地局２０Ｃは、スモールセル（第２のセル）であるCell C（PCI値 84）を形成する第２の基地局である。
【００３５】
Cell B,Cは、Cell A内に設置されている。そのため、Cell AとCell B,Cとは互いに隣接関係にある。ただし、Cell BとCell Cとは互いに隣接関係にはない。
【００３６】
ここで、セルの隣接関係とは、図２に示すように、あるセルとそのセルに包含されているセルとの関係（Cell AとCell B,Cとの関係）に限らず、あるセルとそのセルに隣接する周辺のセルとの関係も含むものとする。
【００３７】
また、Cell B,CのPCI値は84で同じである。そのため、Cell Aに隣接するCell B,CのPCI値は、互いに重複しており、PCI Confusionを起こしていることになる。
【００３８】
UE１０は、Cell A〜C間をハンドオーバする端末である。なお、ハンドオーバ元から見たハンドオーバをHandout、ハンドオーバ先から見たハンドオーバをHand-inと適宜称する。
【００３９】
MME３０は、コアネットワークに配置され、UE１０の移動を管理するコアネットワーク装置である。
【００４０】
なお、図２の無線通信システムの構成およびセル配置はあくまで一例であり、本発明はこれに限定されない。
【００４１】
次に、本発明の前提となる技術として、図２に示した無線通信システムにおいて、UE１０のハンドオーバが成功および失敗した場合のそれぞれのシーケンスについて説明する。一例として基地局間回線（X2 Interface）を介したハンドオーバシナリオについて紹介するが、基地局−コアネットワーク間回線（S1 Interfaceを）用いたハンドオーバシナリオでも同様である。
【００４２】
最初に、UE１０のハンドオーバが成功した場合のシーケンスについて説明する。
【００４３】
図３に、UE１０のハンドオーバが成功した場合のシーケンスの一例を示す。なお、図３は、UE１０のServing CellがCell Aである状態から動作が開始されている。
【００４４】
図３に示すように、UE１０のServing CellであるCell Aを形成するマクロセル基地局２０Ａは、UE１０に対し、Cell Aに隣接するネイバーセルの受信品質の測定を指示するMeasurement Controlメッセージを送信する（ステップＡ１）。ここでMeasurement Controlメッセージとは、測定に関する情報が含まれるメッセージであり、一例としてRRC Connection Reconfigurationメッセージが含まれる。
【００４５】
次に、UE１０は、Cell Aに隣接するネイバーセルの受信品質を測定し、マクロセル基地局２０Ａに対し、それらのネイバーセルのうち受信品質の良いハンドオーバ先候補のセルのPCI値を報告するMeasurement Reportメッセージを送信する（ステップＡ２）。ここでは、Cell BのPCI値 84を報告したとする。また、マクロセル基地局２０Ａは、セルのPCI値とECGI値とを対応付けて記憶しており、ここでは、PCI値 84と対応付けてCell BのECGI値を記憶していたとする。
【００４６】
そのため、マクロセル基地局２０Ａは、Cell Bを形成するスモールセル基地局２０Ｂに対し、UE１０のCell Bへのハンドオーバを要求するHandover Requestメッセージを送信する（ステップＡ３）。
【００４７】
すなわち、ここでは、Handover Requestメッセージは、ハンドオーバ先候補である正しいCell Bを形成するスモールセル基地局２０Ｂに送信されている。
【００４８】
次に、スモールセル基地局２０Ｂは、マクロセル基地局２０Ａに対し、UE１０のハンドオーバを受け付けるHandover Request Acknowledgementメッセージを送信する（ステップＡ４）。このメッセージには、UE１０とハンドオーバ先候補のセルのCell Bとの間のRRC Connection（ＲＲＣコネクション）の情報が含まれる。
【００４９】
次に、マクロセル基地局２０Ａは、UE１０に対し、ハンドオーバ先候補のセルのCell Bとの間のRRC Connection（ＲＲＣコネクション）の情報が含まれるRRC Connection Reconfigurationメッセージを送信する（ステップＡ５）。
【００５０】
ここで、ステップＡ３のHandover Requestメッセージは、UE１０のハンドオーバ先候補である正しいCell Bを形成するスモールセル基地局２０Ｂに送信されている。
【００５１】
そのため、UE１０は、Cell Bとの間のRRC Connectionの再構成が完了し、スモールセル基地局２０Ｂに対し、RRC Connectionの再構成の完了を通知するRRC Connection Reconfiguration Completeメッセージを送信する（ステップＡ６）。これにより、UE１０のServing CellがCell AからCell Bに切り替わる。
【００５２】
以降、スモールセル基地局２０Ｂは、MME３０に対し、マクロセル基地局２０Ａからスモールセル基地局２０Ｂへのパスの切り替えを要求するPath Switch Requestメッセージを送信する（ステップＡ７）。次に、MME３０は、スモールセル基地局２０Ｂに対し、パスの切り替えを受け付けるPath Switch Request Acknowledgementメッセージを送信する（ステップＡ８）。その後、スモールセル基地局２０Ｂは、マクロセル基地局２０Ａに対し、UE Contextの解放を指示するUE Context Releaseメッセージを送信する（ステップＡ９）。
【００５３】
次に、UE１０のハンドオーバが失敗した場合のシーケンスについて説明する。
【００５４】
図４に、UE１０のハンドオーバが失敗した場合のシーケンスの一例を示す。なお、図４は、UE１０のServing CellがCell Aである状態から動作が開始されている。
【００５５】
図４に示すように、まず、図３のステップＡ１，Ａ２と同様に、マクロセル基地局２０ＡとUE１０との間で、Measurement ControlメッセージおよびMeasurement Reportメッセージの送受信が行われる（ステップＢ１，Ｂ２）。ただし、ここでは、UE１０がハンドオーバ先候補のセルのPCI値として、Cell CのPCI値 84を報告したとする。また、マクロセル基地局２０Ａは、PCI値 84と対応付けてCell BのECGI値を記憶していたとする。
【００５６】
そのため、マクロセル基地局２０Ａは、Cell Bを形成するスモールセル基地局２０Ｂに対し、UE１０のCell Bへのハンドオーバを要求するHandover Requestメッセージを送信する（ステップＢ３）。
【００５７】
すなわち、ここでは、Handover Requestメッセージは、ハンドオーバ先候補である正しいCell Cを形成するスモールセル基地局２０Ｃには送信されず、ハンドオーバ先候補でない誤ったCell Bを形成するスモールセル基地局２０Ｂに送信されている。
【００５８】
次に、スモールセル基地局２０Ｂは、マクロセル基地局２０Ａに対し、UE１０のハンドオーバを受け付けるHandover Request Acknowledgementメッセージを送信する（ステップＢ４）。
【００５９】
次に、マクロセル基地局２０Ａは、UE１０に対し、ハンドオーバ先候補のセルとの間のRRC Connectionの再構成を指示するRRC Connection Reconfigurationメッセージを送信する（ステップＢ５）。
【００６０】
ここで、ステップＢ３のHandover Requestメッセージは、UE１０のハンドオーバ先候補ではないCell Bを形成するスモールセル基地局２０Ｂに送信されている。
【００６１】
そのため、UE１０は、ハンドオーバ先候補のCell Cとの間のRRC Connectionの再構成が完了せず、スモールセル基地局２０Ｃに対し、RRC Connectionの再確立を要求するRRC Connection Re-establishment Requestメッセージを送信する（ステップＢ６）。
【００６２】
次に、スモールセル基地局２０Ｃは、UE１０に対し、RRC Connectionの再確立を拒否するRRC Connection Re-establishment Rejectメッセージを送信する（ステップＢ７）。
【００６３】
以降、UE１０がスモールセル基地局２０ＣにアタッチするAttach procedureが実行される（ステップＢ８）。これにより、UE１０のServing CellがCell AからCell Cに切り替わる。
【００６４】
ところで、図４において、UE１０のハンドオーバの失敗は、マクロセル基地局２０Ａで検出することができる。その他、スモールセル基地局２０Ｂおよびスモールセル基地局２０Ｃでも、以下のようにして、UE１０のハンドオーバの失敗を検出することができる。
【００６５】
例えば、スモールセル基地局２０Ｂは、図４において、マクロセル基地局２０ＡからHandover Requestメッセージを受信し、ハンドオーバ手順を進めるが、UE１０からはRRC Connection Reconfiguration Completeメッセージを受信しない。そのため、スモールセル基地局２０Ｂは、マクロセル基地局２０ＡがCell AからCell BへのUE１０のハンドオーバ（Hand-in）を要求したものの、そのハンドオーバが失敗したと判断することができる。
【００６６】
一方、スモールセル基地局２０Ｃは、図４において、マクロセル基地局２０ＡからHandover Requestメッセージを受信せず、UE１０からRRC Connection Re-establishment Requestメッセージを受信する。そのため、スモールセル基地局２０Ｃは、UE１０のハンドオーバが失敗したと判断することができる。また、スモールセル基地局２０Ｃは、図５に示すようなRRC Connection Re-establishment Requestメッセージの内容を参照することで、UE１０のハンドオーバの失敗や、UE１０のハンドオーバ元のセルを判断することもできる。例えば、UE１０のハンドオーバの失敗は、Reestablishment CauseにhandoverFailureやreconfigurationFailureが設定されていることで判断することができる。また、UE１０のハンドオーバ元のセルは、ReestabUE-Identityに含まれるphysCellIdに設定されているPCI値から判断することができる。
【００６７】
本発明は、スモールセル基地局２０Ｂ，２０ＣがUE１０のハンドオーバの失敗を検出できることを利用して、スモールセル基地局２０Ｂ，２０ＣのセルのPCI値が他セルのPCI値と重複するPCI Confusionを解消するものである。
（２）本発明の実施形態
（２−１）第１の実施形態
本実施形態は、図２に示した無線通信システムにおいて、スモールセル基地局２０ＢがPCI Confusionが起きていることを判定するものである。
【００６８】
そこで、以下では、スモールセル基地局２０Ｂの構成について詳細に説明する。
【００６９】
図６に、本実施形態のスモールセル基地局２０Ｂの構成の一例を示す。
【００７０】
図６に示すように、スモールセル基地局２０Ｂは、通信部２１Ｂと、通信状況取得部２２Ｂと、制御部２３Ｂと、を有している。なお、図６は、スモールセル基地局２０Ｂ内の構成要素のうち本質的な構成要素のみを抜粋して示したもので、その他の構成要素は省略されている。
【００７１】
通信部２１Ｂは、UE１０、マクロセル基地局２０Ａ、スモールセル基地局２０Ｃ、およびMME３０との間で、各種のメッセージ等を通信する。
【００７２】
通信状況取得部２２Ｂは、スモールセル基地局２０Ｂにおける、各種のメッセージ等の通信状況を取得する。
【００７３】
制御部２３Ｂは、UE１０のCell AからCell Bへのハンドオーバが失敗した回数に基づいて、Cell BのPCI値と、Cell Aに隣接する他セルのPCI値と、のPCI値の重複（PCI Confusion）を解消する。
【００７４】
具体的には、制御部２３Ｂは、UE１０のCell AからCell Bへのハンドオーバが失敗した回数をカウントする。例えば、制御部２３Ｂは、UE１０のCell AからCell Bへのハンドオーバ（Hand-in）を要求するHandover Requestメッセージを受信した後、所定時間内に、そのUE１０からRRC Connection Reconfiguration Completeメッセージを受信しなかった場合、ハンドオーバが失敗したと判断することができる。
【００７５】
そして、制御部２３Ｂは、UE１０のCell AからCell Bへのハンドオーバ（Hand-in）が失敗した回数が所定回数以上である場合、Cell BのPCI値は、Cell Aに隣接する他セルのPCI値と重複するPCI Confusionを起こしていると判定する。
【００７６】
なお、制御部２３Ｂは、Handover RequestメッセージからUE１０のハンドオーバ元がCell Aであると判断することができる。
【００７７】
また、制御部２３Ｂは、PCI Confusionの判定を、以下の（Ａ）または（Ｂ）の場合に限定して行っても良い。
（Ａ）スモールセル基地局２０Ｂが、マクロセル基地局２０Ａから、Cell Aに隣接するネイバーセルを示すネイバー情報を、X2インタフェースといった接続回線等を経由して直接取得できない場合
（Ｂ）スモールセル基地局２０Ｂが、マクロセル基地局２０Ａから取得した、Cell Aに隣接するネイバーセルを示すネイバー情報が不十分のために、Cell Aに隣接するネイバーセルの一部を認識できない場合
なお、（Ｂ）のネイバー情報が不十分な場合とは、例えば、マクロセル基地局２０Ａから取得したネイバー情報が、Cell Aに隣接するネイバーセルのうち、X2インタフェースを確立しているネイバーセルのみを示している場合等を言う。また、（Ｂ）に該当するか否かは、例えば、マクロセル基地局２０Ａから取得したネイバー情報が示すネイバーセルの数が、所定数以下であるか否かで判断することができる。
【００７８】
また、制御部２３Ｂは、PCI Confusionの判定を、任意のタイミングで行って良く、例えば、定期的に行っても良い。または、ハンドオーバが失敗した回数をカウントした結果、その回数が所定回数以上であった時点で、PCI Confusionの判定をしても良い。
【００７９】
制御部２３Ｂは、Cell BのPCI値が、Cell Aに隣接する他セルのPCI値と重複するPCI Confusionを起こしていると判定した場合、PCI Confusionを解消する。PCI Confusionを解消する場合、制御部２３Ｂは、Cell BのPCI値を自律的に再選択する。
【００８０】
このとき、例えば、制御部２３Ｂは、現在のPCI値および過去数回選択されているPCI値を再選択候補から除外し、残った再選択候補の中からPCI値を再選択する。
【００８１】
なお、Cell BのPCI値を、Cell Bに隣接するネイバーセルや、そのネイバーセルに隣接するネイバーセルのPCI値と異なるように変更することは、一般的な技術であり、本発明とは直接的には関係しない。また、同一RAT（Radio Access Technology）の同一周波数のPCI値のみ重複を避ける必要があり、そのように変更することも一般的な技術である。
【００８２】
または、制御部２３Ｂは、Cell BのPCI値を自律的に再選択せずに、新たなPCI値の割り当てを外部サーバに要求し、その要求を受けた外部サーバがCell Bに新たなPCI値を割り当てても良い。その場合、外部サーバは、Cell Bに隣接するネイバーセルの情報をデータベースとして持つことが望ましい。
【００８３】
上述したように本実施形態においては、スモールセル基地局２０Ｂの制御部２３Ｂは、UE 10のCell AからCell Bへのハンドオーバが失敗した回数に基づいて、Cell BのPCI値と、Cell Aに隣接する他セルのPCI値と、のPCI値の重複（PCI Confusion）を解消する。
【００８４】
そのため、スモールセル基地局２０Ｂにおけるネイバー情報の取得状況にかかわらず、PCI Confusionを解消することができるという効果が得られる。これにより、マクロセル基地局２０Ａが、UE１０の正しいセルへのハンドオーバを要求することができ、UE１０のハンドオーバ成功率の低下を抑制することができる。
【００８５】
具体的には、スモールセル基地局２０Ｂの制御部２３Ｂは、UE１０のCell AからCell Bへのハンドオーバが失敗した回数が所定回数以上である場合、Cell BのPCI値が、Cell Aに隣接する他セルのPCI値と重複するPCI Confusionを起こしていると判定する。
【００８６】
また、制御部２３Ｂは、PCI Confusionが起きていると判定した場合、自律的にPCI値を再選択したり、新たなPCI値の割り当てを外部サーバに要求したりすることで、PCI Confusionを解消する。なお、PCI値の再選択をCell Aに隣接する他セルに行わせても良い。
（２−２）第２の実施形態
第１の実施形態においては、マクロセル基地局２０Ａが、ハンドオーバ先候補のセルを形成する１台の基地局にHandover Requestメッセージを送信している。しかし、ハンドオーバ先候補のセルを複数のセル（PCIが異なってもよい）とし、マクロセル基地局２０Ａが、これら複数のセルをそれぞれ形成する複数の基地局にHandover Requestメッセージを送信する仕組みが講じられていることも考えられる。この場合、第１の実施形態においては、Handover Requestメッセージを受信したものの、RRC Connection Reconfiguration Completeメッセージを受信しない基地局が数多く発生することになる。そうすると、これら基地局は、実際にはPCI Confusionが起きていないにもかかわらず、PCI Confusionが起きていると誤判定してしまうと予測される。
【００８７】
本実施形態は、第１の実施形態における上記の問題を解決すべく、図２に示した無線通信システムにおいて、スモールセル基地局２０ＣがPCI Confusionが起きていることを判定するものである。
【００８８】
そこで、以下では、スモールセル基地局２０Ｃの構成について詳細に説明する。
【００８９】
図７に、本実施形態のスモールセル基地局２０Ｃの構成の一例を示す。
【００９０】
図７に示すように、スモールセル基地局２０Ｃは、通信部２１Ｃと、通信状況取得部２２Ｃと、制御部２３Ｃと、を有している。なお、図７は、スモールセル基地局２０Ｃ内の構成要素のうち本質的な構成要素のみを抜粋して示したもので、その他の構成要素は省略されている。
【００９１】
通信部２１Ｃは、UE１０、マクロセル基地局２０Ａ、スモールセル基地局２０Ｂ、およびMME３０との間で、各種のメッセージ等を通信する。
【００９２】
通信状況取得部２２Ｃは、スモールセル基地局２０Ｃにおける、各種のメッセージ等の通信状況を取得する。
【００９３】
制御部２３Ｃは、UE１０からRRC Connection Reestablishment Requestメッセージを受信した受信回数に基づいて、Cell CのPCI値と他セルのPCI値とのPCI値の重複（PCI Confusion）を解消する。
【００９４】
具体的には、制御部２３Ｃは、UE１０からRRC Connection Reestablishment Requestメッセージを受信した受信回数をカウントする。
【００９５】
そして、制御部２３Ｃは、UE１０からRRC Connection Reestablishment Requestメッセージを受信した受信回数が所定回数以上である場合、Cell CのPCI値は、他セルのPCI値と重複するPCI Confusionを起こしていると判定する。
【００９６】
なお、制御部２３Ｃは、全てのRRC Connection Re-establishment Requestメッセージではなく、特定のRRC Connection Re-establishment Requestメッセージを受信した時にのみ、受信回数をカウントしても良い。
【００９７】
例えば、制御部２３Ｃは、ReestabUE-Identityに含まれるphysCellIdに設定されているPCI値がCell AであるRRC Connection Re-establishment Requestメッセージのみ、受信回数をカウントしても良い。physCellIdとは、UE１０がハンドオーバ失敗前に接続していたセルのPCI値を示すものである。例えば、図４においては、UE１０がハンドオーバ失敗前に接続していたセルはCell Aであるため、physCellIdにはCell AのPCI値が記述される。この場合、制御部２３Ｃは、この受信回数が所定回数以上である場合、Cell CのPCI値は、Cell Aに隣接する他セルのPCI値と重複するPCI Confusionを起こしていると判定する。この場合、制御部23Cは、PCI Confusionの判定を、以下の（Ａ）または（Ｂ）の場合に限定して行っても良い。
（Ａ）スモールセル基地局２０Ｃが、マクロセル基地局２０Ａから、Cell Aに隣接するネイバーセルを示すネイバー情報を、X2インタフェースといった接続回線等を経由して直接取得できない場合
（Ｂ）スモールセル基地局２０Ｃが、マクロセル基地局２０Ａから取得した、Cell Aに隣接するネイバーセルを示すネイバー情報が不十分のために、Cell Aに隣接するネイバーセルの一部を認識できない場合
なお、（Ｂ）の「不十分」の定義や（Ｂ）に該当するか否かの判断方法は、第１の実施形態と同様である。
【００９８】
または、制御部２３Ｃは、ReestablishmentCauseがhandoverFailureまたはreconfigurationFailureに設定されているRRC Connection Re-establishment Requestメッセージのみ、受信回数をカウントしても良い。ReestablishmentCauseとは、RRC Connectionの再確立の原因を示すものであり、図５に示すように、handoverFailure（ハンドオーバ失敗）や、reconfigurationFailure（RRC Connectionの再構成の失敗）などが記述される。例えば、図４においては、UE１０がハンドオーバに失敗し、Cell Cとの間のRRC Connectionの再構成が完了できなかったため、ReestablishmentCauseには、handoverFailureまたはreconfigurationFailureが記述される。この場合、制御部２３Ｃは、この受信回数が所定回数以上である場合、Cell CのPCI値は、他セルのPCI値と重複するPCI Confusionを起こしていると判定する。
【００９９】
または、制御部２３Ｃは、ReestabUE-Identityに含まれるphysCellIdに設定されているPCI値がCell Aであり、かつ、ReestablishmentCauseがhandoverFailureまたはreconFigurationFailureに設定されているRRC Connection Re-establishment Requestメッセージのみ、受信回数をカウントしても良い。この場合、制御部２３Ｃは、この受信回数が所定回数以上である場合、Cell CのPCI値は、Cell Aに隣接する他セルのPCI値と重複するPCI Confusionを起こしていると判定する。
【０１００】
なお、制御部２３Ｃは、PCI Confusionの判定を、任意のタイミングで行って良く、例えば、定期的に行っても良い。
【０１０１】
また、制御部２３Ｃが、Cell CのPCI値はPCI Confusionを起こしていると判定し、そのPCI Confusionを解消する場合の処理は、第１の実施形態と同様である。
【０１０２】
上述したように本実施形態においては、スモールセル基地局２０Ｃの制御部２３Ｃは、UE１０からRRC Connection Reestablishment Requestメッセージを受信した受信回数に基づいて、Cell CのPCI値と他セルのPCI値とのPCI値の重複（PCI Confusion）を解消する。
【０１０３】
そのため、スモールセル基地局２０Ｃにおけるネイバー情報の取得状況にかかわらず、PCI Confusionを解消することができるという効果が得られる。これにより、マクロセル基地局２０Ａが、UE１０の正しいセルへのハンドオーバを要求することができ、UE１０のハンドオーバ成功率の低下を抑制することができる。
【０１０４】
具体的には、スモールセル基地局２０Ｃの制御部２３Ｃは、UE１０からRRC Connection Reestablishment Requestメッセージを受信した受信回数が所定回数以上である場合、Cell CのPCI値は、他セルのPCI値と重複するPCI Confusionを起こしていると判定する。
【０１０５】
また、制御部２３Ｃは、PCI Confusionが起きていると判定した場合、自律的にPCI値を再選択したり、新たなPCI値の割り当てを外部サーバに要求したりすることで、PCI Confusionを解消する。なお、PCI値の再選択を他セルに行わせても良い。
（２−３）第３の実施形態
第２の実施形態においては、スモールセル基地局２０Ｃは、UE１０からRRC Connection Reestablishment Requestメッセージを受信した受信回数を用いて、PCI Confusionの判定をしていた。
【０１０６】
しかし、UE１０からRRC Connection Reestablishment Requestメッセージを受信した場合、その原因がToo Late HOやToo Early HOである可能性もある。
【０１０７】
そのため、RRC Connection Reestablishment Requestメッセージの受信回数のカウント対象から、Too Late HOまたはToo Early HOに起因するRRC Connection Reestablishment Requestメッセージを除外する必要がある。
【０１０８】
本実施形態は、第２の実施形態における上記の問題を解決し、図２に示した無線通信システムにおいて、スモールセル基地局２０Ｃが、RRC Connection Reestablishment Requestメッセージの受信回数のカウント対象から、Too Late HOまたはToo Early HOに起因するRRC Connection Reestablishment Requestメッセージを除外するものである。
【０１０９】
なお、本実施形態の構成自体は第２の実施形態と同様である。
（２−３−１）Too Early HOについて
まず、Too Early HOについて説明する。
【０１１０】
図８に、UE１０のCell CからCell AへのハンドオーバがToo Early HOに起因していた場合のシーケンスと、このToo Early HOに起因するRRC Connection Reestablishment Requestメッセージを除外するための方法の一例を示す。なお、図８は、UE１０のServing CellがCell Cである状態から動作が開始されている。
【０１１１】
図８に示すように、UE１０のServing CellであるCell Cを形成するスモールセル基地局２０Ｃは、UE１０に対し、Cell Cに隣接するネイバーセルの受信品質の測定を指示するMeasurement Controlメッセージを送信する（ステップＣ１）。
【０１１２】
次に、UE１０は、Cell Cに隣接するネイバーセルの受信品質を測定し、スモールセル基地局２０Ｃに対し、それらのネイバーセルのうち受信品質の良いハンドオーバ先候補のセルのPCI値を報告するMeasurement Reportメッセージを送信する（ステップＣ２）。ここでは、Cell AのPCI値 142を報告したとする。また、スモールセル基地局２０Ｃは、セルのPCI値とECGI値とを対応付けて記憶しており、ここでは、PCI値 142と対応付けてCell AのECGI値を記憶していたとする。
【０１１３】
そのため、スモールセル基地局２０Ｃは、Cell Aを形成するマクロセル基地局２０Ａに対し、UE１０のCell Aへのハンドオーバを要求するHandover Requestメッセージを送信する（ステップＣ３）。
【０１１４】
すなわち、ここでは、Handover Requestメッセージは、ハンドオーバ先候補である正しいCell Aを形成するマクロセル基地局２０Ａに送信されている。
【０１１５】
次に、マクロセル基地局２０Ａは、スモールセル基地局２０Ｃに対し、UE１０のハンドオーバを受け付けるHandover Request Acknowledgementメッセージを送信する（ステップＣ４）。
【０１１６】
次に、スモールセル基地局２０Ｃは、UE１０に対し、ハンドオーバ先候補のセルとの間のRRC Connectionの再構成を指示するRRC Connection Reconfigurationメッセージを送信する（ステップＣ５）。
【０１１７】
ここで、ステップＣ３のHandover Requestメッセージは、UE１０のハンドオーバ先候補である正しいCell Aを形成するマクロセル基地局２０Ａに送信されている。
【０１１８】
そのため、UE１０は、Cell Aとの間のRRC Connectionの再構成が完了し、マクロセル基地局２０Ａに対し、RRC Connectionの再構成の完了を通知するRRC Connection Reconfiguration Completeメッセージを送信する（ステップＣ６）。これにより、UE１０のServing CellがCell CからCell Aに切り替わる。
【０１１９】
以降、通常は、図３のステップＡ７〜Ａ９と略同様の処理が行われる。しかし、ここでは、UE１０のCell Aへのハンドオーバが早すぎたことに起因して、UE１０とCell Aとの間で同期外れ（Out of Sync）が生じている。そのため、UE１０が、直近にServing CellであったCell Cを形成するスモールセル基地局２０Ｃに対し、RRC Connection Reestablishment Requestメッセージを送信している（ステップＣ７）。これにより、UE１０のServing CellがCell AからCell Cに再び切り替わる。
【０１２０】
以上がToo Early HOの概要である。
【０１２１】
このように、ステップＣ７のRRC Connection Reestablishment Requestメッセージは、Too Early HOに起因するものである。しかし、このRRC Connection Reestablishment RequestメッセージをPCI Confusionに起因するものとして受信回数をカウントしてしまうと、Too Early HOをPCI Confusionと誤判定してしまう可能性がある。
【０１２２】
そこで、制御部２３Ｃは、UE１０からのRRC Connection Reestablishment Requestメッセージの受信時、その受信前の所定時間内に、そのUE１０のCell CからCell Aへのハンドオーバを要求するHandover Requestメッセージを送信した実績があるか否かを判断する。
【０１２３】
具体的には、制御部２３Ｃは、ステップＣ３のHandover Requestメッセージの送信後にタイマーを起動し、ステップＣ７のRRC Connection Reestablishment Requestメッセージの受信時のタイマー値が所定時間以下であれば、実績ありと判断する。
【０１２４】
制御部２３Ｃは、上記の実績がある場合、ステップＣ７のRRC Connection Reestablishment Requestメッセージを、Too Early HOに起因するものとして除外し、RRC Connection Reestablishment Requestメッセージの受信回数をカウントしない。
【０１２５】
一方、制御部２３Ｃは、上記の実績がない場合、ステップＣ７のRRC Connection Reestablishment Requestメッセージを、PCI Confusionに起因するものと判断し、RRC Connection Reestablishment Requestメッセージの受信回数をカウントする。
（２−３−２）Too Late HOについて
次に、Too Late HOについて説明する。
【０１２６】
図９に、UE１０のCell AからCell CへのハンドオーバがToo Late HOに起因していた場合のシーケンスと、このToo Late HOに起因するRRC Connection Reestablishment Requestメッセージを除外するための方法の一例を示す。なお、図９は、UE１０のServing CellがCell Aである状態から動作が開始されている。
【０１２７】
図９に示すように、UE１０のServing CellであるCell Aを形成するマクロセル基地局２０Ａは、UE１０に対し、Cell Aに隣接するネイバーセルの受信品質の測定を指示するMeasurement Controlメッセージを送信する（ステップＤ１）。
【０１２８】
次に、UE１０は、Cell Aに隣接するネイバーセルの受信品質を測定し、マクロセル基地局２０Ａに対し、それらのネイバーセルのうち受信品質の良いハンドオーバ先候補のセルのPCI値を報告するMeasurement Reportメッセージを送信する（ステップＤ２）。ここでは、Cell CのPCI値 84を報告したとする。また、マクロセル基地局２０Ａは、セルのPCI値とECGI値とを対応付けて記憶しており、ここでは、PCI値 84と対応付けてCell CのECGI値を記憶していたとする。
【０１２９】
そのため、マクロセル基地局２０Ａは、Cell Cを形成するスモールセル基地局２０Ｃに対し、UE１０のCell Cへのハンドオーバを要求するHandover Requestメッセージを送信する（ステップＤ３）。
【０１３０】
すなわち、ここでは、Handover Requestメッセージは、ハンドオーバ先候補である正しいCell Cを形成するスモールセル基地局２０Ｃに送信されている。
【０１３１】
次に、スモールセル基地局２０Ｃは、マクロセル基地局２０Ａに対し、UE１０のハンドオーバを受け付けるHandover Request Acknowledgementメッセージを送信する（ステップＤ４）。
【０１３２】
しかし、ここでは、UE１０のCell Cへのハンドオーバが遅すぎたことに起因して、UE１０とCell Aとの間で同期外れが生じている。
【０１３３】
その結果、マクロセル基地局２０Ａは、UE１０に対し、ハンドオーバ先候補のセルとの間のRRC Connectionの再構成を指示するRRC Connection Reconfigurationメッセージを送信することができない（ステップＤ５）。
【０１３４】
そのため、UE１０は、ハンドオーバ先候補であるCell Cを形成するスモールセル基地局２０Ｃに対し、RRC Connection Reestablishment Requestメッセージを送信する（ステップＤ６）。これにより、UE１０のServing CellがCell AからCell Cに切り替わる。
【０１３５】
以上がToo Late HOの概要である。
【０１３６】
このように、ステップＤ６のRRC Connection Reestablishment Requestメッセージは、Too Late HOに起因するものである。しかし、このRRC Connection Reestablishment RequestメッセージをPCI Confusionに起因するものとして受信回数をカウントしてしまうと、Too Late HOをPCI Confusionと誤判定してしまう可能性がある。
【０１３７】
そこで、制御部２３Ｃは、UE１０からのRRC Connection Reestablishment Requestメッセージの受信時、その受信前の所定時間内に、そのUE１０のCell AからCell Cへのハンドオーバを要求するHandover Requestメッセージを受信した実績があるか否かを判断する。
【０１３８】
具体的には、制御部２３Ｃは、ステップＤ３のHandover Requestメッセージの受信後にタイマーを起動し、ステップＤ６のRRC Connection Reestablishment Requestメッセージの受信時のタイマー値が所定時間以下であれば、実績ありと判断する。
【０１３９】
制御部２３Ｃは、上記の実績がある場合、ステップＤ６のRRC Connection Reestablishment Requestメッセージを、Too Late HOに起因するものとして除外し、RRC Connection Reestablishment Requestメッセージの受信回数をカウントしない。
【０１４０】
一方、制御部２３Ｃは、上記の実績がない場合、ステップＤ６のRRC Connection Reestablishment Requestメッセージを、PCI Confusionに起因するものと判断し、RRC Connection Reestablishment Requestメッセージの受信回数をカウントする。
【０１４１】
なお、Too Early HOに起因するRRC Connection Reestablishment Requestメッセージを除外するための方法と、Too Late HOに起因するRRC Connection Reestablishment Requestメッセージを除外するための方法と、は同時に適用しても良い。
【０１４２】
上述したように本実施形態においては、スモールセル基地局２０Ｃの制御部２３Ｃは、RRC Connection Reestablishment Requestメッセージの受信時に、その直近の所定時間内に、Cell CからCell Aへのハンドオーバを要求するHandover Requestメッセージを送信した実績がある場合、RRC Connection Reestablishment Requestメッセージの受信回数をカウントしない。
【０１４３】
また、制御部２３Ｃは、RRC Connection Reestablishment Requestメッセージの受信時に、その直近の所定時間内に、Cell AからCell Cへのハンドオーバを要求するHandover Requestメッセージを受信した実績がある場合、RRC Connection Reestablishment Requestメッセージの受信回数をカウントしない。
【０１４４】
したがって、RRC Connection Reestablishment Requestメッセージの受信回数のカウント対象から、Too Late HOまたはToo Early HOに起因するRRC Connection Reestablishment Requestメッセージを除外することができるため、Too Early HOまたはToo Late HOをPCI Confusionと誤判定してしまうことを抑制できる。
【０１４５】
なお、本実施形態において、上述した以外の構成および効果は、第２の実施形態と同様である。
【０１４６】
以上、実施形態を参照して本発明を説明したが、本発明は上記実施形態に限定されるものではない。本発明の構成や詳細には、本発明の範囲内で当業者が理解し得る様々な変更をすることができる。
【０１４７】
例えば、第１〜第３の実施形態においては、スモールセル基地局がPCI Confusionが起きているかを判定していたが、本発明はこれに限定されない。本発明においては、マクロセル基地局などの他種類の基地局が、自セルに隣接するネイバーセルや、そのネイバーセルに隣接するネイバーセルとの間でPCI Confusionが起きているかを判定しても良い。
【０１４８】
また、第１〜第３の実施形態においては、基地局がPCI Confusionが起きているかを判定していたが、本発明はこれに限定されない。本発明においては、SON（Self Organizing Network）サーバなどの外部の通信装置がPCI Confusionが起きているかを判定しても良い。この場合、外部の通信装置は、基地局から、その基地局における通信状況の情報を取得し、これを基に、その基地局のPCI値にPCI Confusionが起きているかを判定する。また、外部の通信装置は、その基地局に対し、PCI Confusionが起きていることを通知する。
【０１４９】
また、第１〜第３の実施形態においては、PCIを例に挙げたが、本発明はこれに限定されず、局所的に使用される他のセル識別子にも適用が可能である。局所的に使用されるセル識別子の他の例としては、3G WCDMA（Third Generation Wideband Code Division Multiple Access）のプライマリースクランブリングコード等が挙げられる。
【０１５０】
また、第１〜第３の実施形態においては、Cell A〜Cは、LTEのE-UTRANセルであることを前提としたが、本発明はこれに限定されない。本発明においては、Cell A〜Cは、3G WCDMAセル、CDMA2000セル、2G GSM（Second Generation Global System for Mobile communications）セル等の任意のセルでよい。
【０１５１】
また、第１〜第３の実施形態においては、UE１０のハンドオーバは、X2 HandoverでもS1 handoverでもInter RAT Handoverでも構わない。
（３）本発明の概要
最後に、本発明の概要を説明する。
【０１５２】
図１０に、本発明の通信装置の概略構成を示す。
【０１５３】
図１０に示すように、本発明の通信装置１００は、通信状況取得部１０１と、制御部１０２と、を有している。
【０１５４】
通信装置１００は、端末と、第１のセルを形成する第１の基地局と、第１のセルに隣接する第２のセルを形成する第２の基地局と、を有する無線通信システムにおいて、第２の基地局またはSONサーバとして適用されるものである。
【０１５５】
通信状況取得部１０１は、第１の実施形態（図６）の通信状況取得部２２Ｂや、第２および第３の実施形態（図７）の通信状況取得部２２Ｃに相当するものであり、第２の基地局における、各種のメッセージ等の通信状況を取得する。
【０１５６】
なお、通信装置１００がSONサーバである場合は、通信状況取得部１０１は、第２の基地局から、第２の基地局における通信状況を取得する。
【０１５７】
制御部１０２は、第１の実施形態（図６）の制御部２３Ｂや、第２および第３の実施形態（図７）の制御部２３Ｃに相当するものである。
【０１５８】
例えば、制御部１０２は、端末の第１のセルから第２のセルへのハンドオーバが失敗した回数に基づき、第２のセルのセル識別子と、第１のセルに隣接する他セルのセル識別子と、のセル識別子の重複（PCI Confusion）を解消する（第１の実施形態に相当）。
【０１５９】
または、制御部１０２は、第２の基地局が、端末から、ＲＲＣコネクションの再確立を要求するメッセージを受信した受信回数に基づき、第２のセルのセル識別子と他セルのセル識別子とのセル識別子の重複（PCI Confusion）を解消する（第２の実施形態に相当）。
【０１６０】
そのため、本発明においては、第２の基地局における第１の基地局からのネイバー情報の取得状況にかかわらず、PCI Confusionを解消することができるという効果が得られる。
【０１６１】
以上、実施形態を参照して本発明を説明したが、本発明は上記実施形態に限定されるものではない。本発明の構成や詳細には、本発明の範囲内で当業者が理解し得る様々な変更をすることができる。
【０１６２】
この出願は、２０１４年９月２５日に出願された日本出願特願２０１４−１９４６８８を基礎とする優先権を主張し、その開示の全てをここに取り込む。
【図１】
2016047439.tif 000003
【図２】
2016047439.tif 000004
【図３】
2016047439.tif 000005
【図４】
2016047439.tif 000006
【図５】
2016047439.tif 000007
【図６】
2016047439.tif 000008
【図７】
2016047439.tif 000009
【図８】
2016047439.tif 000010
【図９】
2016047439.tif 000011
【図１０】
2016047439.tif 000012
【手続補正書】
【提出日】平成29年2月21日(2017.2.21)
【手続補正１】
【補正対象書類名】特許請求の範囲
【補正対象項目名】全文
【補正方法】変更
【補正の内容】
【特許請求の範囲】
【請求項１】
端末と、第１のセルを形成する第１の基地局と、前記第１のセルに隣接する第２のセルを形成する第２の基地局と、を有する無線通信システムにおける通信装置であって、
前記第２の基地局における通信状況を取得する通信状況取得部と、
前記第２の基地局が、前記端末から、ＲＲＣコネクションの再確立を要求する第１のメッセージを受信した受信回数に基づいて、前記第２のセルのセル識別子と他セルのセル識別子とのセル識別子の重複を解消する制御部と、を有する通信装置。
【請求項２】
前記制御部は、
前記第２の基地局が、前記端末から、前記端末がハンドオーバ失敗前に接続していたセルが前記第１のセルであることを示す前記第１のメッセージを受信した受信回数が所定値以上である場合、前記第２のセルのセル識別子と他セルのセル識別子とのセル識別子の重複を解消する、請求項１に記載の通信装置。
【請求項３】
前記制御部は、
前記第２の基地局が、前記端末から、前記ＲＲＣコネクションの再確立の原因がハンドオーバの失敗または前記ＲＲＣコネクションの再構成の失敗であることを示す前記第１のメッセージを受信した受信回数が所定値以上である場合、前記第２のセルのセル識別子と他セルのセル識別子とのセル識別子の重複を解消する、請求項１に記載の通信装置。
【請求項４】
前記制御部は、
前記第２の基地局が、前記端末から、前記端末がハンドオーバ失敗前に接続していたセルが前記第１のセルであることを示し、かつ、前記ＲＲＣコネクションの再確立の原因がハンドオーバの失敗または前記ＲＲＣコネクションの再構成の失敗であることを示す前記第１のメッセージを受信した受信回数が所定値以上である場合、前記第２のセルのセル識別子と、前記第１のセルに隣接する他セルのセル識別子と、のセル識別子の重複を解消する、請求項１に記載の通信装置。
【請求項５】
前記制御部は、
前記第２の基地局が、前記端末から前記第１のメッセージを受信した時に、該受信前の所定時間内に、前記端末の前記第２のセルから前記第１のセルへのハンドオーバを要求する第２のメッセージを、前記第１の基地局に送信した実績がある場合、前記第１のメッセージの受信によっても前記受信回数をカウントしない、請求項１から４のいずれか１項に記載の通信装置。
【請求項６】
前記制御部は、
前記第２の基地局が、前記端末から前記第１のメッセージを受信した時に、該受信前の所定時間内に、前記端末の前記第１のセルから前記第２のセルへのハンドオーバを要求する第３のメッセージを、前記第１の基地局から受信した実績がある場合、前記第１のメッセージの受信によっても前記受信回数をカウントしない、請求項１から５のいずれか１項に記載の通信装置。
【請求項７】
端末と、第１のセルを形成する第１の基地局と、前記第１のセルに隣接する第２のセルを形成する第２の基地局と、を有する無線通信システムにおける通信装置であって、
前記第２の基地局における通信状況を取得する通信状況取得部と、
前記端末の前記第１のセルから前記第２のセルへのハンドオーバが失敗した回数に基づいて、前記第２のセルのセル識別子と、前記第１のセルに隣接する他セルのセル識別子と、のセル識別子の重複を解消する制御部と、を有する通信装置。
【請求項８】
前記制御部は、
前記第２の基地局が、前記第１の基地局から、前記端末の前記第１のセルから前記第２のセルへのハンドオーバを要求する第１のメッセージを受信した後、所定時間内に、前記端末からＲＲＣコネクションの再構成の完了を通知する第２のメッセージを受信しなかった場合、前記端末の前記第１のセルから前記第２のセルへのハンドオーバが失敗したと判定する、請求項７に記載の通信装置。
【請求項９】
前記制御部は、
前記第２のセルのセル識別子と他セルのセル識別子とのセル識別子の重複を解消する場合、前記第２のセルのセル識別子を再選択する、請求項１から８のいずれか１項に記載の通信装置。
【請求項１０】
端末と、第１のセルを形成する第１の基地局と、前記第１のセルに隣接する第２のセルを形成する第２の基地局と、を有する無線通信システムにおける通信装置が行う通信方法であって、
前記第２の基地局における通信状況を取得し、
前記第２の基地局が、前記端末から、ＲＲＣコネクションの再確立を要求する第１のメッセージを受信した受信回数に基づいて、前記第２のセルのセル識別子と他セルのセル識別子とのセル識別子の重複を解消する、通信方法。
【国際調査報告】
2016047439.tif 000013
2016047439.tif 000014